Podtech/llm-jp-corpus-v4-ja_patent huggingface dataset:
(57)【要約】      （修正有）【課題】使い勝手がよく、特に面倒な作業を必要とせず、簡単な操作で美顔器としての機能を達成する美顔器、美顔器の使用方法を提案する。【解決手段】筐体１１上の一対の電極１２、１３を、溶液上から適応部位近傍に対し上下左右に移動させることで美顔器を使用する方法及び、一対の電極１２、１３を、皮膚当接面に配置して、当該電極１２、１３が金により被覆された構成を有する。又当該美顔器が、一般化粧瓶の蓋としての形態を有しており、化粧料を塗布した面を化粧瓶を持ちながらさするように移動させるだけで、十分な経皮浸透効果を得る。【選択図】図１
2004236722.tif 000002
【特許請求の範囲】
【請求項１】
筐体上の一対の電極を、溶液上から適応部位近傍に対し上下左右その他の方向に反復的に移動させる美顔器の使用方法。
【請求項２】
前記筐体が化粧料用の容器の蓋部と互換がある請求項１に記載の美顔器の使用方法。
【請求項３】
汎用的な化粧瓶に装着可能で、蓋状に形成された筺体と、当該筺体の一面に配置した一対の電極、前記筺体内に組み込まれた前記電極に電気出力を供給する電源部を有する美顔器。
【請求項４】
前記溶液は、ビタミンＣ、化粧料である請求項１、３に記載の美顔器の使用方法及び美顔器。
【請求項５】
ボタン型、コイン型の電池と一対の電極が接続され直流通電状態である請求項１、３に記載の美顔器の使用方法及び美顔器。
【請求項６】
前記電極の導電面は、金メッキされている請求項１，３に記載の美顔器の使用方法及び美顔器。
【発明の詳細な説明】
【０００１】
【産業上の利用分野】
本発明は、美顔方法及び美顔器に関する。
【０００２】
【従来の技術】
従来、イオン性のある化粧料、電気的に経皮から投与する美顔器が数多く提案されてきた。
その多くは、一対の電極と、パルス、直流等による通電用電源と、化粧料を保持する薬液保持部よりなり、皮膚に化粧料を浸透させるべく、電極を皮膚上に固定して使用するものが多かった。
例えば、特開昭５９−２０３５７０号には、特定の電気パルスを出力する出力装置と、化粧料を含浸させたパフとを組み合わせた美容電子パフが開示されている。
このパフは、単に電極と皮膚との間に介在する多孔質状のパフに化粧料を含浸させた構成を有し、これを皮膚に押さえつけて使用するもおのであるが、パフそのものの材質は、非導電性であることから、導電性を有する化粧料を含浸させても、含浸量が足りなかったり、パフのあてがい方が悪い等の様な使い方によっては、安定した導電路の形成が困難な場合があることから、取り扱いマニュアルを良く理解した上での使用が前提となり、取り扱いが面倒である。
これは、特性のデバイスと、化粧料を含浸させたパフの組み合わせによりなり、器具としてまとまりをもって提案されていたが、パフを皮膚に押し当てた後、通電作業をしなければならない等、取り扱いは煩雑である。
【０００３】
【課題を解決するための手段】
上記に鑑み本発明は、組み合わせ構成により、好ましくは化粧料の瓶の蓋と同様の形状をし、その先端に電極対を配置し、これを経皮に押し当てて、単に移動させることで、手軽で、確実且つ簡単な美顔方法を実現したのである。
【０００４】
【実施例】
本発明の一実施例を図面を参照して詳細に説明する。
図１で示す実施例は、市販の化粧品（ローション、乳液等）系の瓶の蓋の形状で示した。
１１は、筐体であり、化粧瓶の先端の累合部と累合するためのねじ部１７が形成されている。
筐体１１の先端部（図中底面方向）には、同心円上の電極１２１３が形成されている。
図１  （ａ）は、図（ｂ）をＡ−Ａ  ’  で切断した断面を示す図である。
電極１２、１３は、金メッキがされた導電材が好ましいが、特に限定されない。
１４は、電池で、ボタン型、コイン型を有し、−極と、電極１２が、導電性部材１５を介して接続され、電極１３は、電池１４の＋極と、導電性部材１６を介して接続する。
電池１４は、パルス出力回路、昇圧電気出力回路等を組み合わせても良い。電池の極性と、電極との接続は、投与する溶液にイオン化方向により適宜選択される。
本実施例では、筐体１１は、化粧瓶の蓋部に互換して装着されるが、装着後でも、化粧瓶内は、筐体１１によって密閉された状態が形成されたままである。
本実施例では、電極の形状を同心円上に形成したが、その他並列に並べたものであってもよく、少なくとも、化粧料を介して皮膚へ当接した際、一対の電極がほぼ同時に接触されるような構成であればよい。
【０００５】
次に動作を図２説明する。
本実施例は、あらかじめ化粧料２１（おおよそイオン化傾向にあるものが好ましく、ビタミンＣ等が好適である。）を皮膚２２に塗った状態で、電極を、化粧料上から当接して、左右上下その他の方向に反復的に動かすことで、皮膚への通電による化粧料の皮膚への浸透が行われる。本実施例では、直接電池のプラス極と、マイナス極を化粧料２１層を介して、皮膚２２に当接する直流通電であることから、良好な化粧料の投与がはかられると共に、電極を移動させるため、直流による電気やけど、刺激を生じることがない。反復的とは、例えば、マッサージをするが如き動作を示し。その回数は、任意であり、肌をマッサージしながら、化粧料等が、浸透していくのである。当該化粧料２１が、図１で示した化粧料１９であってもよい。
【０００６】
【発明の効果】
以上詳述のごとく本発明は、非常に簡単な構成でありながら、美顔器として有効に作用し、使い勝手もよいなどの効果を有する。
【図面の簡単な説明】
【図１】本発明の実施例を説明するための図
【図２】本発明の他の実施例を示す図
【符号の説明】
１１  筐体
１２  電極
１３  電極
１４  電池
１５  １６  導電性部材
１７    累合部
【図１】
2004236722.tif 000003
【図２】
2004236722.tif 000004
(57)【要約】【課題】粉末消火効果を低下させずに一次配管，二次配管のトータル的な配管長さの短縮化が図れる配管構造とすることができると共に、システム全体の低コスト化と配管設計の自由度が得られる粉末消火システムを得る。【解決手段】粉末消火剤を供給する側において平時は閉止状態にある元弁３を備え、この元弁３から延びる一次配管６の上流側から下流側にわたって消火対象区画１０が複数個二次配管８によりそれぞれ配置されていてそのうちの最下流側に対応するもの以外の１個または複数個のものに通じる流路切換弁９を一次配管６に１個または複数個直列状に配設し、かつこの流路切換弁９は平時は二次配管８側を閉じて一次配管６の上流側と下流側とが連通する位置にあると共に自身が起動される消火時は元弁３が開いて一次配管６の上流側と二次配管８側とが連通する位置に切り換わる構造としてなる。【選択図】        図１
2004236724.tif 000002
【特許請求の範囲】
【請求項１】
粉末消火剤を供給する側において平時は閉止状態にある元弁を備え、この元弁から延びる一次配管の上流側から下流側にわたって消火対象区画が複数個二次配管によりそれぞれ配置されていてそのうちの最下流側に対応するもの以外の１個または複数個のものに通じる流路切換弁を前記一次配管に１個または複数個直列状に配設し、かつこの流路切換弁は平時は前記二次配管側を閉じて前記一次配管の上流側と下流側とが連通する位置にあると共に自身が起動される消火時は前記元弁が開いて前記一次配管の上流側と前記二次配管側とが連通する位置に切り換わる構造としたことを特徴とする粉末消火システム。
【発明の詳細な説明】
【０００１】
【発明の属する技術分野】
この発明は、粉末貯蔵容器内の粉末消火剤を加圧用ガスにより放出して消火する粉末消火システムに関するものである。
【０００２】
【従来の技術】
この種の粉末消火システムは、一次配管，二次配管のトータル的な配管長さの短縮化を考えると、公知の消火液消火システムと同じように例えば図２に示すように一次配管を長くする配管構造とするのが良いことは知られている。
【０００３】
ところが、図２において、粉末貯蔵容器１内の粉末消火剤を加圧用ガスボンベ２の加圧用ガスにより放出し、元弁３及び一斉開放弁（選択弁）４を開いて粉末消火剤を粉末噴射ヘッド５から放出する場合に、粉体と気体（加圧用ガス）とは長い一次配管６の途中で分岐してから一斉開放弁４に入るので、その分岐部７において粉体と気体（加圧用ガス）とが分離しやすく、その結果粉末噴射ヘッド５から粉体が放出されずに気体（加圧用ガス）のみが放出されることが顕著になり、粉末消火効果が低下する。そのために粉末消火システムでは、かかる図２に示すような一次配管６を長くする配管構造をとることができなかった。
【０００４】
そこで、従来の粉末消火システムでは、かかる粉末消火効果の低下をまねかないために、図３に示すように一次配管６を短くする配管構造をとっている。即ち、一斉開放弁（選択弁）４を元弁３に近づけてできるだけ一次配管６を短くすることにより、一次配管６の途中で粉体と気体（加圧用ガス）とが分離するのを最小限にとどめている。
【０００５】
【発明が解決しようとする課題】
しかしながら、かかる従来のこの種の粉末消火システムは、図３に示すように一次配管６が短くなる変わりに一斉開放弁（選択弁）４以降の二次配管８が長くなるので、その配管工事に手間と費用が掛かるのみならず、長い配管が複数本となるために配管設計に制約を受けるという問題点がある。
【０００６】
【課題を解決するための手段】
この発明に係る粉末消火システムはかかる問題点を解消するためになされたもので、一斉開放弁（選択弁）に変えて流路切換弁を一次配管に設けることにより、粉末消火効果を低下させずに一次配管，二次配管のトータル的な配管長さの短縮化が図れる配管構造とすることができると共に、システム全体の低コスト化と配管設計の自由度が得られる。
【０００７】
【発明の実施の形態】
この発明の一実施の形態を図１について説明する。図１は粉末消火システム全体を示す概略図で、図中前記した従来システムと同一または相当部分には同一符号を付して説明を省略する。
【０００８】
図１において、９は一次配管６に直列状に配設した複数個（図面ではＡ〜Ｃの３個）の流路切換弁、１０は複数個（図面ではＡ〜Ｄの４個）の消火対象区画である。なお、前記流路切換弁９は、平時は二次配管８を閉じて一次配管６の上流側と下流側とが連通する位置にあると共に起動される消火時は一次配管６の上流側と二次配管８とが連通する位置に切り換わる構造になっている。
【０００９】
今、この粉末消火システムの配管部分は無圧状態，つまり二次配管８は勿論一次配管６も空の状態にある。そして、例えば消火対象区画１０（Ｄ）で火災を感知すると、元弁３は開くが、各流路切換弁９はいずれも起動されないので、一次配管６に放出された粉末消火剤は流路切換弁９（Ａ）〜（Ｃ）を通り抜けて二次配管８を通り粉末噴射ヘッド５から消火対象区画１０（Ｄ）に放射され、消火する。この場合、一次配管６から二次配管８に入る経路に図２でいうところの分岐部７がないので、分岐部７の構造による粉体と気体（加圧用ガス）との分離作用が生じない。
【００１０】
または、消火対象区画１０（Ａ）で火災を感知すると、流路切換弁９（Ａ）が起動されて切り換えられ、次いで元弁３が開いて一次配管６に放出された粉末消火剤は流路切換弁９（Ａ）から二次配管８を通って粉末噴射ヘッド５から消火対象区画１０（Ａ）に放射され、消火する。この場合、流路切換弁９（Ａ）では一次配管６から二次配管８に入る経路がスムーズになるので、図２でいうところの分岐部７の構造による粉体と気体（加圧用ガス）との分離作用が生じない。
【００１１】
つまり、火災を感知した消火対象区画１０に通じる二次配管８の流路切換弁９のみを起動して切り換えるだけで、複数個ある消火対象区画１０（Ａ）〜（Ｄ）へ同様に行うことができる。
【００１２】
このように粉末消火システムの一次配管６を長くする配管構造がとれるので一次配管６，二次配管８のトータル的な配管長さの短縮化が図れると共に一次配管６及び二次配管８内において粉体と気体（加圧用ガス）との分離作用が発生しないので粉末消火効果が低下しない。さらに、一次配管６も二次配管８と共に常時空の状態にすることができるのでこれらの配管部分において洩れの心配がない。
【００１３】
【発明の効果】
以上のように、この発明によれば一斉開放弁（選択弁）に変えて流路切換弁を一次配管に設けるので、粉末消火効果を低下させずに一次配管，二次配管のトータル的な配管長さの短縮化が図れる配管構造とすることができると共に、システム全体の低コスト化と配管設計の自由度が得られるという効果を奏する。
【図面の簡単な説明】
【図１】この発明の一実施の形態を示す粉末消火システム全体の概略図である。
【図２】公知の消火液消火システム全体を示す概略図である。
【図３】従来の粉末消火システム全体を示す概略図である。
【符号の説明】
１    粉末貯蔵容器
２    加圧用ガスボンベ
３    元弁
５    粉末噴射ヘッド
６    一次配管
８    二次配管
９    流路切換弁
１０  消火対象区画
【図１】
2004236724.tif 000003
【図２】
2004236724.tif 000004
【図３】
2004236724.tif 000005
(57)【要約】【課題】入浴時に、必要に応じて身体の背もたれの角度を垂直に対して４５度以上傾斜させ、頭部を枕で支持できる安楽姿勢を実現できる浴槽用安楽椅子を提供する。【解決手段】浴槽床面と浴槽壁面の合流する曲面位置に安置した剛性材脚１の先端に横支持ベルト２を締結し、横支持ベルト２の中央部に締結した縦支持ベルト３を弾性材シート６の上部の孔７、８、９に順に通して枕部１０が形成され、縦支持ベルト３の先端を長さ調節できる連結紐４で連結した吸盤５が浴槽直近の浴室壁面に吸着して縦ベルト３の緊張で安楽な角度に身体姿勢を保持できる浴槽用安楽椅子を形成する。【選択図】  図１
2004236819.tif 000002
【特許請求の範囲】
【請求項１】
入浴時に、必要に応じて身体の背もたれの角度を垂直に対し４５度以上傾斜させた安楽な姿勢で身体を支持するために、浴槽床面と浴槽壁面の合流する曲面位置に簡易な剛性脚１を安置し、直近の浴室壁面に吸着した吸盤５の引っ張り強度を連結紐４で連結した横支持ベルト２、縦支持ベルト３で身体の支持部を構成し、支持部に締結した弾性材シート６の背もたれ側先端部の孔７、８、９に縦支持ベルト３を通して枕部１０を形成し、ゆったりと身体を倒した快適な入浴を実現できることを特徴とする浴槽用安楽椅子。
【発明の詳細な説明】
【０００１】
【発明の属する技術分野】
本発明は、快適な入浴のために浴槽内で身体を安楽姿勢に保持することができる簡易な構造の浴槽用安楽椅子に関する。
【０００２】
【従来の技術】
入浴は身体を清潔に保つことと身体を温めて健康維持に役立てる目的で実施されてきた生活習慣であるが、近年はぬるめの湯に長時間浸かって心身のストレスを開放し、リラックスできることを目的にする入浴が普遍化してきた。しかし、一般的な家庭用浴槽の中で使用できる椅子は腰掛け式のものはあるが、背もたれの角度を垂直に対して４５度以上傾斜させ身体の姿勢を安楽に保持して快適な入浴を実現できる浴槽用安楽椅子はなかった。
【０００３】
【発明が解決しようとする課題】
入浴時に、必要に応じて身体の背もたれの角度を垂直に対して４５度以上傾斜させて安楽姿勢を実現し、頭部を枕で支持できる浴槽用安楽椅子を提供する。
【０００４】
【課題を解決するための手段】
人体は水中で浮力を受け、浴槽の湯に首の位置まで浸かると体重は約１０％程度に減少するので空気中で体重を支える椅子のような剛性は必要なく、簡易な剛性脚１と吸盤５の引っ張り強度を連結紐４で連結した横支持ベルト２、縦支持ベルト３で身体の支持部を構成し、支持部に締結した弾性材シート６の背もたれ側先端部を一巻きして縦支持ベルト３を通し枕部１０を形成する。
【０００５】
【発明の実施の形態】
以下、本発明の実施の形態について説明する。
（イ）コ字形に成形した剛性材の脚１の左右先端部２の位置に柔軟な横支持ベルト３を張り渡し、さらに横支持ベルト３の中央部よりＴ字状に締結した縦支持ベルト４を設置する。縦支持ベルト４の先端は長さを調節できる連結紐５を介して吸盤６に連結している。
（ロ）弾性のある発泡ウレタン素材などを図１のような椅子座面及び背もたれ部分の形に型取りして弾性材シート７を形成し、座面側先端部６ａは横支持ベルト３に締結し、背もたれ側先端部６ｂを図１のように巻いて枕を形成する。
（ハ）縦支持ベルト４は先端側を弾性材シート背もたれ側先端部に設けた孔７，８，９，の順に通し枕部１０を形成する。
（ニ）吸盤６を浴槽に直近の浴室壁面タイル等に吸着し剛性材の脚を浴槽内の浴槽底面と浴槽壁面の合流する曲面位置で安置し縦支持ベルト４で緊張状態を保持する。
【０００６】
【発明の効果】
入浴時に、背もたれの角度をゆったりと倒した安楽な姿勢で身体を保持し、快適な入浴を実現できる。
【図面の簡単な説明】
【図１】本発明の斜視図である。
【図２】本発明の支持部の平面図である。
【図３】本発明の保持シートの平面図である。
【図４】本発明の使用状態を示す側面図である。
【符号の説明】
１  剛性材脚
２  横支持ベルト
３  縦支持ベルト
４  連結紐
５  吸盤
６  弾性材シート
７  孔
８  孔
９  孔
１０  枕部
【図１】
2004236819.tif 000003
【図２】
2004236819.tif 000004
【図３】
2004236819.tif 000005
【図４】
2004236819.tif 000006
(57)【要約】【課題】都市生活環境での騒音を遮断し、公知されている天然精油の生体に及ぼす影響力を活用して心身の状態に応じた天然精油を選択し、さまざまな刺激によるストレスや精神の緊張や不安を緩解して速やかで安らかな入眠に導き、或いは集中力を増強して気力を充実させる等のアロマテラピー効果を発揮するアロマテラピー用耳栓を提供する。【解決手段】耳孔を閉塞して遮音できる大きさの低反発ウレタン等を成形した弾性体耳栓１の耳孔挿入側端面２に閉鎖孔３を設け、閉鎖孔３を拡張して嵌合したときに容易に脱落しない直径の円筒形状の多孔質セラミック製芳香体４を、片端面６を露出した状態で閉鎖孔３に嵌合挿入し、芳香体４の被被覆面６より天然精油を含浸して耳孔に装着する。【選択図】  図１
2004236816.tif 000002
【特許請求の範囲】
【請求項１】
耳孔に挿入して遮音できる弾性体耳栓１の耳孔挿入側の閉鎖孔３に、遠赤外線放射が治療効果を発揮する小型の円筒形状の多孔質セラミックに天然精油の液体芳香物質を含浸させた芳香体４を非被覆面６のみ露出した状態で嵌合挿入しておき、耳栓１を耳孔に装着して騒音遮断すると共に耳孔内の体温で蒸散する天然精油の蒸散香気をセラミックの遠赤外線効果で血流の活発化した耳孔内の皮膚及び鼓膜上皮を経由して効率的に体内導入し、自律神経系の制御によりストレスによる心身の緊張や不安を緩解して安眠に導き、或いは気力を充実させる等の心身を制御しうることを特徴とするアロマテラピー用耳栓。
【請求項２】
前記のアロマテラピー用耳栓に嵌合挿入する多孔質セラミック製芳香体４は、天然精油がその強力な浸透性能により芳香体外に滲出して弾性体耳栓１が容易に侵蝕されないよう片端面６のみ露出させて他の全面を耐薬品性能の高いポリプロピレン樹脂等の被覆５を施し、非被覆面６からのみ芳香治療物質が蒸散するようにして繰り返し使用可能にしたことを特徴とする請求項１のアロマテラピー用耳栓。
【発明の詳細な説明】
【０００１】
【発明の属する技術分野】
本発明は、騒音を遮断する耳栓にアロマテラピーの技術を応用し、周囲の騒音やストレスによる精神の緊張や不安などの要素により増加している不眠等の心身の障害を改善できるアロマテラピー用耳栓に関する。
【０００２】
【従来の技術】
従来の耳栓は遮音と防水を目的としており、治療耳栓としては耳栓に磁石を装着した磁気治療耳栓（特開平５−３１７３５４）がある。しかし、耳孔を経由して天然精油の蒸散香気を体内に導入し治療できる耳栓はなかった。
【０００３】
【発明が解決しようとする課題】
都市生活環境での騒音を遮断するとともにアロマテラピーとして効果が公知されている天然精油の生体に及ぼす影響力を耳孔内面皮膚と鼓膜上皮を経由して体内導入し、さまざまな刺激によるストレスや精神の緊張や不安を緩解して速やかで安らかな入眠に導き、或いは集中力を増強して気力を充実させる等の効果を発揮するアロマテラピー用耳栓を提供する。
【０００４】
【課題を解決するための手段】
耳孔を閉塞して遮音できる大きさの低反発ウレタン等を成形した弾性体耳栓１の耳孔挿入側端面２に閉鎖孔３を設け、閉鎖孔３を拡張して嵌合したときに容易に脱落しない直径の天然精油を含浸した円筒形状の多孔質セラミック製芳香体４を、片端面６を露出した状態で嵌合挿入する。
【０００５】
【発明の実施の形態】
以下、本発明の実施の形態について説明する。
（イ）低反発ウレタン等の弾性体で耳孔を閉塞できる耳栓１を成形し、耳孔挿入側の一方の端面２に閉鎖孔３を設ける。
（ロ）閉鎖孔３を拡張して嵌合し、且つ容易に脱落しない直径の円筒形状の多孔質セラミック製芳香体４の片端面６を残して他の全面を耐薬品性能の高いポリプロピレン樹脂膜等の被覆材５で被覆し非被覆面６を外側にして閉鎖孔３に嵌合挿入する。
（ハ）多孔質セラミック製芳香体４の非被覆面６より心身の状態に適合した天然精油を含浸する。
【０００６】
【発明の効果】
周囲の騒音を遮断すると共に体温で耳孔内部に天然精油の蒸散香気が充満し、芳香体４のセラミック材質が遠赤外線を放射して血流を促し、耳孔内皮膚表面と鼓膜上皮より浸透する芳香治療物質が毛細血管を経由して血流に乗り、大脳辺縁系に到達して自律神経を制御し速やかで安らかな入眠を促す、或いは気力を充実して集中力を増強する等のアロマテラピー効果を発揮する。
【図面の簡単な説明】
【図１】本発明の斜視図である。
【図２】本発明の図１のａ−ｂ断面図である。
【図３】本発明の芳香体３の斜視図である。
【図４】本発明の図３の芳香体３のｃ−ｄ断面図である。
【符号の説明】
１  弾性体耳栓
２  端面
３  閉鎖孔
４  芳香体
５  ポリプロピレン樹脂膜等の被覆材
６  芳香体４の片端面、または非被覆面
【図１】
2004236816.tif 000003
【図２】
2004236816.tif 000004
【図３】
2004236816.tif 000005
【図４】
2004236816.tif 000006
(57)【要約】【課題】周囲の他者に迷惑を及ぼすことなく、芳香を欲する個人のみが鼻部分に簡易に直接装着して芳香を感受できると共に呼吸を援助し、また極めて小型化できるのでファッション性に優れた鼻部のアクセサリーになる芳香器を提供する。【解決手段】天然精油等の液体芳香物質を粒状の多孔質セラミック等に含浸させた芳香体４をキャップ３の開閉で内部に装填して容易に交換でき、通気孔２を通じて外部に蒸散香気を流出できる耐侵蝕性材質の容器本体１を、容器本体１の外部に締結したクリップ状の弾性材５で簡易に鼻翼端部又は鼻中隔端部又は左右の鼻孔内に装着し保持できるようにした。【選択図】  図１
2004236818.tif 000002
【特許請求の範囲】
【請求項１】
天然精油等の液体芳香物質を粒状の多孔質セラミック等に含浸させた芳香体４をキャップ３の開閉で内部に装填して容易に交換でき、通気孔２を通じて外部に蒸散香気を流出できる耐侵蝕性材質の容器本体１と、容器本体１の外部に締結したクリップ状の弾性材５からなり、弾性材５の弾性を発揮させて鼻翼端部或いは鼻中隔端部に簡易に装着でき、アクセサリーに利用可能な外観を与えうることを特徴とする小型の個人用芳香器。
【請求項２】
前記個人用芳香器は、装着の為のクリップ状弾性体の形状を図５に示すように成形して弾性を外側に向けて発揮させ、左右の鼻孔に挿入することで鼻孔を外側に拡張する方向に容器本体を装着保持し（図６）、呼吸を援助しうることを特徴とする請求項１記載の個人用芳香器。
【発明の詳細な説明】
【０００１】
【発明の属する技術分野】
本発明は、周囲の他者に迷惑を及ぼすことなく、天然精油等の芳香を欲する個人のみが鼻部に直接装着して芳香を感受でき、また極めて小型化してファッション性に優れた形態を実現できるので鼻部のアクセサリーとして新規の需要を喚起でき、装着の為の弾性材の形状を図５のように成形することで呼吸を援助しうる個人専用の芳香器に関する。
【０００２】
【従来の技術】
従来の芳香器は、室内開放空間に設置して同空間を共有する全員が同じ香りを感受する形式のものが多いが、香りの嗜好は個人的なもので全員の賛同を得られるとは限らない。この解決法として経鼻吸入器（特許公開番号２００１−９０３４）が公開されているが、これは芳香体を左右の鼻孔内部に挿着するので鼻孔内の気道が狭窄し呼吸を妨げてしまう難があり、また、鼻中隔に装着する呼吸用保護具（特許公開番号２００２−２５３６７１）は呼吸時の水分補給を目的として多孔質プラスチック材を使用しているので強力な侵蝕作用を持つ天然精油の保留と蒸散に適さず、また、鼻部のアクセサリーにはピアスが公知されているが、装着するには鼻翼に孔を穿たねばならないという身体的リスクが発生した。
【０００３】
【発明が解決しようとする課題】
心的、身体的欲求に基づく芳香感受を、それを欲する個人に限定するために顔の中央鼻部に装着される芳香器を、アクセサリーに利用可能な外観を与えうる小型の個人専用の芳香器として、また鼻部への装着弾性材の形状を変えることにより鼻孔を拡張し呼吸の援助ができる個人用芳香器を提供する。
【０００４】
【課題を解決するための手段】
天然精油等の液体芳香物質を粒状の多孔質セラミック等に含浸させた芳香体４をキャップ３の開閉で内部に装填して容易に交換でき通気孔２を通じて外部に蒸散香気を流出できる耐侵蝕性材質の容器本体１と、容器本体１の外部に締結したクリップ状の弾性材５を、弾性を発揮させた屈曲状態で図３、図４のように鼻翼端部に、または鼻中隔端部に簡易に装着できるようにした。またクリップ状の弾性材５を図５のように成形することで鼻孔を拡張し呼吸を援助できるようにした（図６）。
【０００５】
【発明の実施の形態】
以下、本発明の実施の形態について説明する。
（イ）容器本体１に通気孔２を設け、キャップ３で開閉できるようにして内部に芳香体４を装填する。
（ロ）容器本体１の外部にクリップ状に屈曲成形した弾性材５を締結し、鼻部の鼻翼端部又は鼻中隔端部に装着し容器本体１を保持できるようにする。
（ハ）容器本体に締結するクリップ状弾性体５を図５に示す形状に成形することで弾性体５を左右の鼻孔に挿入して装着し、鼻孔を外側に拡張し呼吸を援助できるようにする（図６）。
【０００６】
【発明の効果】
芳香を他者に迷惑を及ぼすことなく個人のみが感受でき、鼻部に簡易に装着して呼吸を援助し、鼻部の新形態のアクセサリーになる。
【図面の簡単な説明】
【図１】本発明の斜視図である。
【図２】本発明の三面図である。
【図３】本発明の使用状態を示す顔の正面図である。
【図４】本発明の装着状態を示す鼻部の詳細図である。
【図５】本発明の請求項３を示す斜視図である。
【図６】本発明の請求項３の装着状態を示す鼻部の詳細図である。
【符号の説明】
１  容器本体
２  通気孔
３  キャップ
４  芳香体
５  クリップ状の弾性材
【図１】
2004236818.tif 000003
【図２】
2004236818.tif 000004
【図３】
2004236818.tif 000005
【図４】
2004236818.tif 000006
【図５】
2004236818.tif 000007
【図６】
2004236818.tif 000008
(57)【要約】【課題】音楽用ＣＤ、ＭＤ、ＤＶＤ、記録メディアのＣＤ−ＲＯＭ、ＭＯディスクやビデオテープ等の箱型製品の包装フィルムを、被包装物を損傷することなく簡易に、確実に開封するフィルム包装物開封器を提供する。【解決手段】あらかじめ可動部２を、ヒンジ部３を支点に本体１と面を接するように折曲した状態で本体１を平面の包装フィルム表面に接着テープ６で接着し、可動部２を引き起こすと、ヒンジ部３を支点として弾性を発揮した舌片４が立ち上がり、テコの原理で引き上げられた包装フィルムと被包装物との間に隙間が生じる。可動部２をさらに回転方向へ押し倒すと切刃５が包装フィルムを突き破り、突破口となって全体を引き上げると容易に破断でき、確実に開封する。なお、接着テープ６は剥離紙を再び被覆することで粘着性が保たれるので、劣化するまで繰り返して使用できる。【選択図】  図１
2004236815.tif 000002
【特許請求の範囲】
【請求項１】
音楽用ＣＤ、ＭＤ、ＤＶＤ、記録メディアのＣＤ−ＲＯＭ、ＭＯディスクやビデオテープ等の箱型製品の包装フィルムを、ポリプロピレン樹脂等の一体成形物本体１に切刃５と接着テープ６を締結した簡易な構造で、テコの原理により包装フィルムと被包装物との間に間隙を生じさせ切刃で破断して被包装物を損傷することなく確実に開封でき、接着テープが劣化するまで繰り返し使用できることを特徴とするフィルム包装物開封器。
【発明の詳細な説明】
【０００１】
【発明の属する技術分野】
本発明は、音楽用ＣＤ、ＭＤ、ＤＶＤ、記録メディアのＣＤ−ＲＯＭ、ＭＯディスクやビデオテープ等の箱型製品の包装フィルムを、被包装物を損傷することなく包装フィルムのみを簡易に破断して確実に開封するフィルム包装物開封器に関する。
【０００２】
【従来の技術】
従来、音楽用ＣＤ、ＭＤ、ＤＶＤ、記録メディアのＣＤ−ＲＯＭ、ＭＯディスクやビデオテープ等の箱型製品の包装フィルムにはカットテープ等が装備され、開封にはこれを利用することになっているが、実際はほとんど役に立たず、購買者はこれらの開封に手間取り、少なくない不満を抱いている。開けにくい包装フィルムを、カッターなどを用いて開封しようとして被包装物を損傷してしまうこともある。解決手段として公開される従来技術（実用新案Ｈ０５−９１５６７）は、真空状態を作り出して包装フィルムを吸引する方式であるが、この方法は実際には包装フィルムと共に被包装物を吸引して包装フィルムとの間に間隙が生じないので具体性に欠け、また本体と別に吸引源を接続しなければならず不自由である。
【０００３】
【発明が解決しようとする課題】
音楽用ＣＤ、ＭＤ、ＤＶＤ、記録メディアのＣＤ−ＲＯＭ、ＭＯディスクやビデオテープ等の箱型製品の包装フィルムを、被包装物を損傷することなく簡易に、確実に開封するフィルム包装物開封器を提供する。
【０００４】
【課題を解決するための手段】
裏面に接着テープ６を貼り合わせた本体１と可動部２は、一体成形のヒンジ部３で連結しており、可動部２は左右に突き出した弾性を持つ舌片部４とその中間に締結された切刃５を構成要素とする。あらかじめ可動部２を、ヒンジ部３を支点に本体１と面を接するように折曲した状態（図２）で本体１を平面の包装フィルム表面に接着テープ６で接着し、可動部２を引き起こすと、ヒンジ部３を支点として弾性を発揮した舌片４が立ち上がり（図３）、テコの原理で引き上げられた包装フィルムと内容物の間に間隙が生じる。可動部２をさらに回転方向へ押し倒すと切刃５が包装フィルムを突き破り、突破口となって全体を引き上げると容易に破断でき、確実に開封する。なお、接着テープ６は剥離紙を再び被覆することで粘着性が保たれるので、劣化するまで繰り返して使用できる。
【０００５】
【発明の実施の形態】
以下、本発明の実施の形態について説明する。
（イ）  弾性を発揮できるポリプロピレン樹脂等のプラスチック材で図１のように板状に一体成形し、本体１と可動部２は折曲できるヒンジ部３で連結している。（ロ）  可動部２の左右に張り出した舌片部４の中間に、湾曲した形態の切刃５を舌片部４の先端部より突出しない範囲で突出させて締結し、本体１の裏面に接着テープ２を貼り合わせる。
【０００６】
【発明の効果】
音楽用ＣＤ、ＭＤ、ＤＶＤ、記録メディアのＣＤ−ＲＯＭ、ＭＯディスクやビデオテープ等の箱型製品の包装フィルムを、非包装物を損傷することなく包装フィルムのみを簡易に破断して確実に開封でき、安価に製造できる。
【図面の簡単な説明】
【図１】本発明の正面図及び側面図である。
【図２】本発明の斜視図である。
【図３】本発明の稼動状態を示す側面図である
【符号の説明】
１  本体
２  可動部
３  ヒンジ部
４  舌片部
５  切刃部
６  接着テープ
【図１】
2004236815.tif 000003
【図２】
2004236815.tif 000004
【図３】
2004236815.tif 000005
(57)【要約】【課題】ストレッチャーからベッド又はベッドからストレッチャーへの移載を一人で移載できるようにしたベルト装置を提供する。【解決手段】擔架の上に二本のレールを固定し、そのレールの上を駆動ローラーが有りベルトを従動ローラーとの間で回転させて擔架の上の人をベッドへ移動させて載せ変える装置である。【選択図】        図１
2004236840.tif 000002
【特許請求の範囲】
【請求項１】
患者をベッド又は手術台と移送用ベッド（ストレッチャー）との間で移載させる為の手段であって、筒状ベッドを基盤の両端に取付けた駆動ローラーと従動ローラーの上にかぶせ、筒状ベッドを張り、腕を取付け駆動ローラーがスリップしないようにしてハンドルを廻してベッドを回転する装置。
【請求項２】
ローラーはなるべく細くしたい為、張りを入れなければならないが、ローラーの曲りを防ぐ為、ローラーを三分割し、押し出し材を４ヶ所入れて張り効果を良くした装置。
【請求項３】
ベベルギヤーを介して端部のシャフト端を工具により廻す事に依り、従動ローラーの出し入れを行い、張ったり緩めたりする装置。
【請求項４】
駆動ローラーはウォームなウォームギヤにより減速され、手廻しの力を減少した装置。
【請求項５】
駆動ローラーの両端にスプロケットを取り付け、スプロケットがチェーンの上をレール代りにして走るもので、レールは擔架の両端に取り付け、固定されたものである。ベルトが擔架から外れないようにした装置。
【発明の詳細な説明】
【０００１】
【発明の属する技術分野】
本発明は患者をストレッチャーからベッドへ移し変える装置に関する。
【０００２】
【従来の技術】
巻ベルトを患者の下に入れ、２〜３人でベルト状の上の人を押して隣のベッドに移していた。
【０００３】
以下、図１、図２、図３、図４、図５について説明する。
図１は全体図で上から見た平面図で、図２はハンドルの付いた側の拡大図で、図３はその側面図である。
【０００４】
図中ベルト１はハンドル１６に依り回転する筒状ベルトでストレッチャー上擔架の巾に納まる寸法のベルトで擔架２４の外には出ていない。
【０００５】
基盤２はベルト１を保持する為のもので、駆動用ローラー３と従動ローラー４がセットされている。駆動用ローラーはハンドル１５により駆動される。
【０００６】
ベルトを張るときには、テンション用シャフト１１の端部の角部１２をソケットレンチで廻すことにより、ベベルギヤー９、１０を介してネジ５及びナット６により張り材７が出入して従動ローラー受１３が出入する。
【０００７】
ローラー受１３の内には、先端従動ローラー４を受けるシャフト１４が通っている。張り材７はガイドケース８によりガイドされている。使用時にはベルト１がスリップしない程度に張る。
【０００８】
ベルト１を廻す時は手廻しハンドル１６を廻すことにより、ウォームギヤ１７ウォームホイール１８を介してシャフト１９を廻し、之に固定ブッシュ２０に固定された駆動ローラー３を廻すことにより、ベルト１を左又は右に移動し、此の上に寝ている患者をストレッチャーからベッドへ、又は、ベッドからストレッチャーへと移動するものである。
【０００９】
その際、安全の為、シャフト１９の両端にはスプロケット２１が固定されていて、シャフト１９の回転によりレール１５、２３に取り付けられたチェーン２２の上を移動するもので、レール側面の切溝２５の範囲内のみ移動するものであり、ベルトが擔架２４より外れることの無い様にして患者の転落を防止するようにしたものである。レール１５、２３は取付金具２６により擔架２４に固定されている。
【００１０】
【発明の効果】
上述した様に、本発明のベッドは看護婦一人で移載することができるものである。
【図面の簡単な説明】
【図１】本発明の全体図で、上面より見た平面図である。
【図２】ハンドル部分を拡大した平面図である。
【図３】ハンドル部分を拡大した側面図である。
【図４】図３の拡大図で原寸図である。
【図５】図２の拡大図で原寸図である。
【図１】
2004236840.tif 000003
【図２】
2004236840.tif 000004
【図３】
2004236840.tif 000005
【図４】
2004236840.tif 000006
【図５】
2004236840.tif 000007
(57)【要約】【課題】ショーケース内の温度管理を設定目標値に対し上下のブレを極めて少なくして一定範囲に管理するとともに湿度も追従して設定目標値に管理することができる蒸し器を提供することを目的とする。【解決手段】上面に蒸気噴出孔９を有し、内部に水蒸気発生手段３を収納するベース２と、ベース２上に設置するショーケース１２とから蒸し器１を構成する。ショーケース１２内には、食品棚１４を配置する。食品棚１４の上方に、傾斜板１５にて排出孔１７を有する蒸気貯まり室１６を設ける。ショーケース１２内には温度センサー１８を設置するとともに温度センサー１８で検出されるショーケース１２内の温度をＰＩＤ制御により目標温度に追従して一定範囲内に管理するＰＩＤ制御器１１を設ける。【選択図】        図１
2004236900.tif 000002
【特許請求の範囲】
【請求項１】
上面に蒸気噴出孔を有し、内部に水蒸気発生手段を収納するベースと、ベース上に設置するショーケースとからなり、ショーケース内には、食品棚を配置し、食品棚の上方に、傾斜板にて排出孔を有する蒸気貯まり室を設けた蒸し器において、ショーケース内には温度センサーを設置するとともに温度センサーで検出されるショーケース内の温度をＰＩＤ制御により目標温度に追従して一定範囲内に管理するＰＩＤ制御器を設けたことを特徴とする蒸し器。
【発明の詳細な説明】
【０００１】
【発明が属する技術分野】
本発明は、ショーケース内の温度を一定範囲内に管理することができる蒸し器に関するものである。
【０００２】
【従来の技術】
従来、蒸し器は、コンビニエンスストア、ファーストフード店、飲食店などで使用されている。この蒸し器には、あんまん・肉まん・等の食品を複数の食品棚に載せ、この棚をショーケース内に収納して、その下方より水蒸気発生手段により水蒸気を発生して蒸すように構成されている。
【０００３】
しかし、ショーケース内の温度・湿度を一定範囲に管理することが難しく、食品の風味に影響を及ぼす。
【０００４】
この問題をを解決するためにいろいろの試みがなされている。（例えば、特許文献１参照）。これらは、いずれも、ショーケース内に設置した温度センサー、湿度センサーでショーケース内の温度・湿度を検知して水蒸気発生手段のヒーターの作動とショーケース内の温度ヒーターの作動をＯＮ・ＯＦＦ作動して目標温度に制御するものである。
【０００５】
しかしながら、各センサーで温度・湿度の設定目標値を検知すると、各ヒーターのスイッチをＯＮ・ＯＦＦ作動して各々の設定目標値に制御するために、実際には、各々の設定目標値に対しオーバーシュートして各設定目標値に対する上下のブレが大きい。
【０００６】
【特許文献１】
特開平８−１９４８２号（全頁）
【０００７】
【発明が解決しようとする課題】
本発明の蒸し器は、ショーケース内の温度管理を設定目標値に対し上下のブレを極めて少なくして一定範囲に管理するとともに湿度も追従して設定目標値に管理することができる蒸し器を提供することを目的とする。
【０００８】
【課題を解決するための手段】
本発明の蒸し器は、ショーケース内の温度管理をＰＩＤ制御により目標温度に追従して一定範囲内に管理する。
【０００９】
【発明の実施の形態】
本発明の蒸し器は、ショーケース内に温度センサーを設置するとともに温度センサーで検出されるショーケース内の温度をＰＩＤ制御により目標温度に追従して一定範囲内に管理するＰＩＤ制御器を設ける。
【００１０】
【実施例】
図１は、本発明の蒸し器の一実施例を示す斜視図。図２は、その一部を断面した側面図である。１は、蒸し器。２は、ベースで、水蒸気発生手段３を収納する。水蒸気発生手段３は、内側に蒸気発生槽４とその外側に貯水槽５とを空間６を設けた隔壁７で仕切って構成する貯水タンク８と、その底部に取付けたヒーターＨとからなる。ベース２の上面には水蒸気の噴出口９を設ける。ベース２の前面には各種の操作盤１０を取付ける。そしてその裏側にはＰＩＤ制御器１１を装着する。
【００１１】
１２は、ショーケースで、全体を略ガラスで構成する。その前側には扉１３を取付ける。内部には複数の食品棚１４を上下に適正間隔をおいて設置する。食品棚１４は、後下がり勾配をつけて設置するとショーケース１２後ろ側がコンビにストアなどにおいては、お客側となり客側から食品が見やすい。食品棚１４の最上部の上方には傾斜板１５により、蒸気貯まり室１６を形成する。傾斜板１５の勾配は食品棚１４と同様に後下がりとする。そしてショーケース１２の上部で、扉１３の上方位置に排出孔１７を設ける。傾斜板１５の平面大きさはショーケース１２の内壁と隙間ができる程度とする。ショーケース１２内の上部には前記ＰＩＤ制御器１１に連携する温度センサー１８を設置する。ショーケース１２は、ベース２上に設置する。こうして蒸し器１が構成される。
【００１２】
本発明の蒸し器を作動させるには、図示しないメインスイッチをＯＮするとヒーターＨが作動して貯水タンクの蒸気発生槽４を加熱して水蒸気を発生させる。発生した水蒸気はベース２上面の水蒸気の噴出口９よりショーケース１２内に噴出して各食品棚１４に置かれた食品を蒸し、かつ、保温する。この状態で、前記温度センサー１８に連携するＰＩＤ制御器１１により設定温度に追従してショーケース内の温度を上下のブレを最小に一定範囲に管理するとともに追従して湿度も適正湿度範囲に管理することができる。なお、ショーケース内の設定温度は摂氏８０度にすると湿度は、飽和状態に管理することができ、食品の風味が落ちない。
【００１３】
【発明の効果】
以上に述べたように、本発明の蒸し器は、ＰＩＤ制御により、設定温度に追従してショーケース内の温度を上下のブレを最小に一定範囲に管理するとともに追従して湿度も適正湿度範囲に管理することができるので食品の風味を良好に保てる。
【図面の簡単な説明】
【図１】本発明の蒸し器の一実施例を示す斜視図。
【図２】本発明の蒸し器の一部を断面した側面図。
【符号の説明】
１    蒸し器
２    ベース
３    水蒸気発生手段
８    貯水タンク
９    水蒸気の噴出口
１１  ＰＩＤ制御器
１２  ショーケース
１８  温度センサー
Ｈ    ヒーター
【図１】
2004236900.tif 000003
【図２】
2004236900.tif 000004
(57)【要約】【課題】有線回線による電話やＦＡＸなどの通信機器や、携帯電話やＰＨＳ電話などの通信機器の内臓時計の時刻や日付を補正する。【解決手段】通信機器に対して送信する中継局や基地局の側が正確な時刻や日付の情報を保持し、必要なときあるいは任意の時間間隔でその正確な時刻や日付の情報を、有線回線による電話やＦＡＸなどの通信機器や、携帯電話やＰＨＳなどの通信機器に送信する。正確な時刻や日付の情報を受信した通信機器は、その情報を基に内臓時計の時刻や日付を補正する。これにより、有線回線による電話やＦＡＸや、携帯電話ならびにＰＨＳなどの電波回線による通信機器の内臓時計の時刻や日付が補正される。【選択図】図１
2004236277.tif 000002
【特許請求の範囲】
【請求項１】
正確な時刻や日付の情報を任意の通信の前後あるいはその途中に通信機器に対して送信し、通信機器の内臓時計を補正する通信機器の内臓時計の時刻や日付の補正方法
【請求項２】
正確な時刻や日付の情報を任意の時間間隔で通信機器に対して送信し、通信機器の内臓時計を補正する通信機器の内臓時計の時刻や日付の補正方法
【請求項３】
請求項１または請求項２記載の時刻や日付の補正方法を特徴とする通信機器の設計方法を可能とすることを特徴とする通信機器の内臓時計の時刻や日付の補正方法
【発明の詳細な説明】
【０００１】
【発明の属する技術分野】
この発明は、有線回線による電話やＦＡＸなどの通信機器や、携帯電話ならびにＰＨＳ電話などの通信機器の内臓時計の時刻や日付を正しく補正するための方法に関するものである。
【０００２】
【従来の技術】
従来より、有線回線による電話やＦＡＸなどの通信機器や、携帯電話ならびにＰＨＳ電話などの通信機器の大部分は内部に時計を有しており、時刻や日付の情報をその内蔵時計によって管理していた。
【０００３】
【発明が解決しようとする課題】
これは次のような欠点があった。
イ．有線回線による電話やＦＡＸなどの通信機器や、携帯電話ならびにＰＨＳ電話などの通信機器の初期設定時に時刻や日付をユーザが自ら設定しなければならない。
ロ．初期設定時に時刻や日付を正確に設定しても、使用している間に内臓時計の時刻や日付がずれてしまう。
本発明は、これらの欠点を解決するために発明されたものである。
【０００４】
【課題を解決するための手段】
本発明は、有線回線による電話やＦＡＸなどの通信機器や、携帯電話ならびにＰＨＳ電話などの通信機器において、内蔵時計の時刻や日付の情報を正確に保つための機能を有するものである。以下、具体的にその内容を説明する。
有線回線による電話やＦＡＸなどの通信機器の中継局や基地局および携帯電話ならびにＰＨＳ電話などの通信機器の中継局や基地局は、正確な時刻や日付の情報を保持する。通信機器の中継局や基地局は、これらの通信機器による通信が発生した前後あるいは途中、または任意の時間間隔において、保持している正確な時刻や日付の情報をこれらの通信機器に送信する。
中継局や基地局から正確な時刻や日付の情報を受信したこれらの通信機器は、その情報に基づいて通信機器の内臓時計の時刻や日付を補正する。
あるいは、ＮＴＴの時刻案内である１１７の情報を通信機器が直接受信して補正してもよい。また、電波時計に用いられている電波信号などを通信機器が直接受信して補正してもよい。
【０００５】
【発明の実施の形態】
以下、本発明の第１の実施の形態について説明する。
有線回線による電話やＦＡＸなどの通信機器の中継局や基地局および携帯電話ならびにＰＨＳ電話などの通信機器の中継局や基地局は、ＮＴＴの時刻案内である１１７や電波時計に用いられている電波などを情報源にして正確な時刻や日付の情報を保持する。あるいは中継局や基地局が独自に正確な時刻や日付の情報源を確保することも考えられる。
通信の中継局や基地局が、有線回線による電話やＦＡＸなどの通信機器や携帯電話ならびにＰＨＳ電話などの通信機器に対して正確な時刻や日付の情報を送信する時期については以下の２通りあるいはその他が考えられる。
第１には、通信機器が任意の通信を行う前後またはその途中に正確な時刻や日付の情報を有線または無線にて送信する。第２には、任意の時間間隔をもって正確な時刻や日付の情報を有線または無線にて送信する。任意の時間間隔をもって正確な時刻や日付の情報を送信する場合において、通信機器による通信が行われている場合には、通信の途中や通信の終了時に正確な時刻や日付の情報を送信するか、あるいはさらに別な任意の時間間隔をもって正確な時刻や日付の情報を送信する。
正確な時刻や日付の情報を受信した通信機器は内臓時計の時刻や日付と比較して、受信した正確な時刻や日付の情報を基に内臓時計を補正する。
ここであげた事例では、通信の中継局や基地局が一方的に正確な時刻や日付の情報を送信する方法を示したが、正確な時刻や日付の情報を受信した場合に通信機器が受信した旨を通信の中継局や基地局に伝える方法も考えられる。また、通信機器の側がその内臓時計の情報を中継局や基地局に対して有線または無線にて送信し、一定以上の誤差があった場合に中継局や基地局が正確な時刻や日付の情報を通信機器に対して送信する方法も可能である。
また、ＮＴＴの時刻案内である１１７や電波時計に用いられている電波信号などを通信機器が直接受信して内臓時計の時刻を補正する方法も考えられる。
正確な時刻や日付の情報を受信した通信機器が内臓時計を補正する際、通信による時間遅れを考慮して補正を行う方法や、通信機器が内臓時計を補正するのに要する時間を考慮して補正を行う方法も考えられる。
【０００６】
本発明の実施の形態には次のような応用例などが考えられる。
１  すべての通信機器に対して以上に示した時刻や日付の補正サービスを提供するのではなく、希望するユーザのみに無料あるいは有料でサービスを提供してもよい。
２  初期設定時などユーザが希望した時点のみにおいて通信機器は中継局や基地局に時刻や日付の情報を要求し、時刻や日付の情報を受信する。
【０００７】
【発明の効果】
通信の中継局や基地局から正確な時刻や日付の情報を通信機器に送信することにより、有線回線による電話やＦＡＸなどの通信機器や、携帯電話ならびにＰＨＳ電話などの通信機器において、内蔵時計の時刻や日付の情報を正確に保つことができる。
【図面の簡単な説明】
【図１】本発明の概念図
【符号の説明】
１  通信の中継局や基地局
２  通信機器
３  通信機器の内臓時計
４  有線による通信回線
５  無線による通信回線
【図１】
2004236277.tif 000003
(57)【要約】【課題】本発明は、ぎんなんの漢方薬＝薬膳としての素材の効力、食材としての風味の両方の特色を失うことの無い共通点として、非加熱、生のまま、エキス＝ペースト及びパウダー状にすることを目的とする。従来の技術では、皮剥きの段階で加熱処理を行う為、ぎんなんに含まれている炭水化物３４．７％がアルファー化して、他の食材と和合しない。そのため、非加熱、生のまま、ペースト及びパウダー状にすることが、最も重要な課題である。【解決手段】上記課題を解決する為、渋皮を取り除いた生のぎんなんをオゾン洗浄除菌処理及びアルカリ水還元処理を施し、ぎんなんを非加熱・生のままペースト及びパウダー状にすることにより、様々な食品に添加できる様になり、ぎんなん特有の滋養強壮効果も損失なく得られる物となり、食生活を改善する上で卓越した効果を奏する。【選択図】  なし【特許請求の範囲】
【請求項１】
生のぎんなんの厚皮及び薄皮を剥き、ペースト状及びパウダー状としたものを利用することを特徴とした生ぎんなんエキス
【請求項２】
鮮度保持のため、非加熱・生のぎんなんをオゾン洗浄除菌処理及びアルカリ水還元処理を施こすことを特徴とした生ぎんなんエキスの製造方法
【発明の詳細な説明】
【０００１】
【発明が属する技術分野】本発明は、食品添加剤としての生のぎんなんエキス（ペースト状・パウダー状）とその製造方法に関するものである。
【０００２】
【従来の技術】
ぎんなん（漢方薬として）には、鎮咳去痰作用（慢性気管支炎・気管支喘息・肺結核等のせき止め）、解毒作用（皮膚病・酒毒・毒虫刺され）、強壮作用（活力増進・滋養強壮）、頻尿・夜尿症（焼いて・煮て食する）、肥満抑制（自然に満腹感を与える）が公知事実であり、銀杏の葉も漢方薬として健康補助食用サプリメントが市販されている。
【０００３】
しかし、食材（ぎんなんの実）としては、茶碗蒸しの具、焼き鳥の串刺しの具、がんもどきの具、煎りぎんなんに利用されているに過ぎずない。
【０００４】
また、ぎんなんの加工食品として製造されているものも、その全てが蒸すか茹でるかの加熱処理が施されている。
【０００５】
【発明が解決しようとする課題】
漢方薬＝薬膳としての素材の効力、食材としての風味の両方の特色を失うことの無い共通点として、これまでの粒単位の賞味方法から、非加熱、生のまま、ぎんなんをエキス＝ペースト及びパウダー状にすることを目的とする。
【０００６】
従来は、殻状のものを加熱処理（９０○Ｃ  ６分間加熱）し、殻割り機で処理すると、殻に薄皮が付着して実のみが得られる。
【０００７】
しかし、加熱段階でぎんなんに含まれている炭水化物３４．７％がアルファー化して、他の食材と和合しない。
【０００８】
すなわち、目的である食品添加剤（例：豆腐、パン等に添加）として利用できない。
【０００９】
そのため、非加熱、生のまま、ペースト及びパウダー状にすることが、最も重要な課題である。
【００１０】
【課題を解決するための手段】
上記課題を解決する為、厚皮及び渋皮を取り除いたぎんなんをオゾン洗浄除菌処理及びアルカリ水還元処理を施し、一次冷蔵することで、鮮度を維持するものとする。
【００１１】
さらに、本発明には、ぎんなんを細かくきざむ工程、この細かくきざんだぎんなんをすり潰してペースト状にする工程、乾燥させパウダー状にする工程を備えたものとしている。
【００１２】
【発明の実施の形態】
第一の工程として、厚皮及び渋皮を取り除いたぎんなんを、オゾン発生装置にて洗浄除菌処理を施し二次汚染の恐れを除去する。
【００１３】
第二の工程として、アルカリイオン水にて還元処理を施し一次冷蔵保管をする。
【００１４】
第三の工程として、組成栄養分を保持した状態で、添加対象物により、０から無限小までのペースト、又はパウダーとする。
【００１５】
【実施例】
以下、この発明を実施例に基づいて、より具体的に説明する。
先ず、厚皮及び薄皮を剥いた生のぎんなんをオゾン発生装置のオゾン水濃度３ｐｐｍにして約３分間の洗浄除菌処理を施す。
【００１６】
次に、アルカリイオン水発生装置にてアルカリ還元処理を施す。
【００１７】
さらに、生ぎんなんの剥き実を一時保管する場合は、アルカリ還元水に浸し、密閉容器にて冷蔵保管する。
【００１８】
前項までの処理を施した生ぎんなんの剥き実を、添加対象物により、粒度の異なるペースト又はパウダーにする。
【００１９】
粒度の大きいものは、包丁で細かく刻むだけでも良いが、ミンチ機にかける（一回）のが好ましい。
【００２０】
さらに、粒度の小さいものが必要ならば、数回ミンチ機にかけるか、ミキサーで細かく（その際には、少量の水を加えることが望ましい）した後、すり鉢等ですり潰すのが好ましい。
【００２１】
次に、パウダー状にする場合、上記オゾン洗浄除菌処理及びアルカリ還元処理を施した生ぎんなんの剥き実を、フリーズドライ製法にてパウダー状に仕上げる。
【００２２】
【発明の効果】
この様にして、製造されたこの発明の生ぎんなんペースト・パウダーは、様々な食品に添加でき、「従来の技術」項で述べたぎんなん特有の滋養強壮効果も損失なく得られる物となり、食生活を改善する上で卓越した効果を奏する。